(57)【特許請求の範囲】
【請求項１】
軸方向に直線的に整列し、貫通して開設された多数の通孔が複数列設けられた内筒及び外筒、前記外筒の通孔において弾性部材によって鍵孔に付勢される外筒鍵孔挿入部品、及び、前記内筒の通孔において前記弾性部材及び前記外筒鍵孔挿入部品によって鍵孔に付勢される内筒鍵孔挿入部品、を備え、前記外筒鍵孔挿入部品及び前記内筒鍵孔挿入部品との当接部分と内筒及び外筒の境界面とが一致することによって解錠操作が行われる施解錠部品と、
前記施解錠部品を収容する収容部品と、
を有するシリンダ錠に取り付けられる中空の円筒形状を備えたシリンダ錠用部品であって、
当該中空の円筒形状には、
前記円筒形状の周方向における一部が切り欠かれ、前記施解錠部品において放射方向に突出して設けられた突出部と係合する係合溝と、
前記円筒形状の軸方向において当該係合溝と連なって設けられ、前記収容部品の内壁面から内方に突出する突起を配置可能な切り欠き部と、が設けられ、
前記施解錠部品と前記収容部品の径方向の大きさが異なる状態において、前記施解錠部
品と前記収容部品との間に設けられた間隙に配置してなる、シリンダ錠用部品。
【請求項２】
一の前記シリンダ錠用部品と内径および外径が異なる他のシリンダ錠用部品とが径方向に積層可能であることを特徴とする請求項１に記載のシリンダ錠用部品。
【請求項３】
前記シリンダ錠用部品は、軸方向に取り付けられることを特徴とする請求項１または２に記載のシリンダ錠用部品。
【請求項４】
前記シリンダ錠用部品と前記施解錠部品とは締まり嵌めにより組み付けられることを特徴とする請求項１〜３のいずれか１つに記載のシリンダ錠用部品。
【請求項５】
前記シリンダ錠用部品の側面には、文字、図形、又は文字と図形の結合を表記可能であることを特徴とする請求項１〜４のいずれか１つに記載のシリンダ錠用部品。
【発明の詳細な説明】
【技術分野】
【０００１】
本発明は、住宅の玄関に使用されるシリンダ錠の構成部品であるシリンダ錠用部品に関する。
【背景技術】
【０００２】
現在の日本の住宅用等の玄関に使用されるシリンダ錠は、シリンダ錠の外側を構成する化粧部品、鍵によって施解錠操作を行う施解錠部品、及び施解錠部品を収容する収容部品等を組み立てることによってシリンダ錠とする方式が主流になっている。このようなシリンダ錠は、例えばシリンダ錠の外装を構成する化粧キャップや化粧リングと、施解錠部品を構成するシリンダコアと、シリンダコアを収容するハウジング等から構成される。
【０００３】
わが国におけるシリンダ錠や錠前はメーカーが独自に開発しており、その種類は多岐に亘る。そのため、鍵の修理業者は顧客からの依頼に応えるべく、錠前やシリンダ錠を多数在庫していなければならず、負担になっている。下記特許文献１には、錠前の種類又は機種に関係なく利用できるシリンダ錠として、化粧部品を構成するフロントキャップの内側に溝が設けられ、該溝に周方向に一部が切り欠かれた円盤状の部品が取り付けられ、シリンダコアの構成部品である外筒の側面に円盤状の部品を取り付けできるように凹部及び凸部が設けられている。
【先行技術文献】
【特許文献】
【０００４】
【特許文献１】特許第４１４１６９１号公報
【発明の概要】
【発明が解決しようとする課題】
【０００５】
しかし、特許文献１に記載の技術は、例えば一方の部品の溝の軸方向深さが変われば取り付けを行うことはできず、また、円盤状部品を介して取り付けられる部品の外径が変わった場合も取り付けを行うことはできない。シリンダ錠の部品交換の場合、鍵の修理業者は顧客の所望する部品を在庫していなければ部品の交換作業ができないため、少ない在庫でも顧客の依頼に幅広く対応したいという要請がある。そのため、同一部品でなくても同種類の部品を在庫していれば部品交換が可能になるような、シリンダ錠部品の形状を調節できる調節部品が求められている。
【０００６】
シリンダ錠の分類には、例えば錠前への取り付け方式、マスターキーやリバースマスターキー等の鍵の性能、シリンダ錠の仕上げ色の違いやシリンダ錠の外径の大きさ等があり、種類は合計で数百種類にも及ぶ。例えばシリンダ錠の仕上げ色が異なっても取り付け自体はできるため交換をすることはできるが、顧客の要望するシリンダ錠のシリンダコアと異なる径のシリンダコアしか在庫していなかった場合、シリンダコアの交換はできない。その場合には同一径のシリンダコアを取り寄せなければならない。部品の取り寄せには時間がかかるため、顧客は交換したいシリンダコアを在庫している別の修理業者を探すため、修理業者は修理を行うことができない分、売り上げることができなくなってしまう。
【０００７】
現在シリンダコアのみの販売はなく、鍵の修理業者は同じメーカーのシリンダコアであっても径違いのシリンダコア毎にシリンダ錠を在庫しておかなければならず、いつ売れるかわからない部品を多数在庫しておくことは修理業者にとって多大な負担となっている。
【０００８】
そこで本発明は、上記課題を解決するために発明されたものであり、径の大きさによって種類が異なるシリンダコアを取り付けることができるシリンダ錠用部品を提供することを目的とする。
【課題を解決するための手段】
【０００９】
上記目的を達成する本発明は、軸方向に直線的に整列し、貫通して開設された多数の通孔が複数列設けられた内筒及び外筒、前記外筒の通孔において弾性部材によって鍵孔に付勢される外筒鍵孔挿入部品、及び、前記内筒の通孔において前記弾性部材及び前記外筒鍵孔挿入部品によって鍵孔に付勢される内筒鍵孔挿入部品、を備え、前記外筒鍵孔挿入部品及び前記内筒鍵孔挿入部品との当接部分と内筒及び外筒の境界面とが一致することによって解錠操作が行われる施解錠部品と、前記施解錠部品を収容する収容部品と、を有するシリンダ錠に取り付けられる中空の円筒形状を備えたシリンダ錠用部品であって、当該中空の円筒形状には、前記円筒形状の周方向における一部が切り欠かれ、前記施解錠部品において放射方向に突出して設けられた突出部と係合する係合溝と、前記円筒形状の軸方向において当該係合溝と連なって設けられ、前記収容部品の内壁面から内方に突出する突起を配置可能な切り欠き部と、が設けられ、前記施解錠部品と前記収容部品の径方向の大きさが異なる状態において、前記施解錠部品と前記収容部品との間に設けられた間隙に配置してなる。
【発明の効果】
【００１０】
本発明に係るシリンダ錠用部品によれば、施解錠部品と収容部品との間に間隙が形成されてシリンダ錠を組み立てることができない場合でも、シリンダ錠用部品を当該間隙部分に配置して取り付けることによってシリンダ錠を組み立てることができる。これによって、鍵の修理業者は顧客の所望するメーカーと同じメーカーのシリンダコアを在庫していれば、シリンダ錠用部品を取り付けることによって、シリンダ錠の交換作業を行うことができる。また、シリンダ錠用部品には、切り欠き部が形成されている。そのため、ハウジングの内側面に突起が形成されている場合にもシリンダコアをハウジングに取り付けることができる。
【００１１】
また、本発明に係るシリンダ錠用部品は、一のシリンダ錠用部品と内径および外径が異なる他のシリンダ錠用部品とが積層可能であるように構成している。そのため、外径の大きさによってシリンダコアの種類が複数存在する場合にも、シリンダ錠用部品をシリンダコアに積層することによって種々の径のシリンダコアとすることができる。このように本発明に係るシリンダ錠用部品が積層可能であることによって、現存する部品種へ幅広く適合させることができる。
【００１２】
また、シリンダ錠用部品は施解錠部品と同様に軸方向に取り付けられるため、従来のシリンダコアのハウジングへの取り付け作業と同様に取り付け作業を容易に行うことができ、シリンダコアの交換作業を迅速に行うことができる。
【００１３】
また、シリンダ錠用部品は締まり嵌めによって施解錠部品に組み付けられるように構成している。そのため、例えばシリンダ錠用部品が半分に分割されているような場合と比較して、作業者はシリンダ錠用部品が組み合わせられた状態を手で保持しながら取り付ける必要がなく、容易に取り付けを行うことができる。
【００１４】
また、シリンダ錠用部品の側面には、文字や図形等を刻印やシール等によって表記可能であるため、部品の識別を容易にしたり、宣伝広告機能を向上させたりすることができる。
【図面の簡単な説明】
【００１５】
【図１】本発明の一実施形態に係るシリンダ錠用部品を取り付けたシリンダ錠を示す断面図である。
【図２】ハウジング、シリンダ錠用部品、及びシリンダコアを組み付ける際を示す分解斜視図である。
【図３】ハウジング、シリンダ錠用部品、及びシリンダコアを組み付けた状態での３−３線に沿う断面図である。
【図４】本実施形態の変形例に係るシリンダ錠用部品及びシリンダコアを組み付ける際を示す分解斜視図である。
【図５】図４のシリンダ錠用部品及びシリンダコアを組み付けた状態を示す斜視図である。
【発明を実施するための形態】
【００１６】
以下、添付した図面を参照しながら、本発明の実施の形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１７】
図１、図２において、本実施形態に係るシリンダ錠用部品１０は、施解錠操作を行うシリンダコア（施解錠部品）２０と、シリンダコア２０を収容するハウジング（収容部品）３０と、を有するシリンダ錠１００に取り付けられる。シリンダ錠用部品１０は中空の円筒形状に形成され、シリンダコア２０とハウジング３０との間に設けられた間隙に配置され、取り付けられる。
【００１８】
シリンダコア２０は、軸方向に直線的に整列し、貫通して開設された通孔２３，２７が複数列設けられた内筒２１及び外筒２２を有し、外筒２２の通孔２３においてバネ（弾性部材）２４によって鍵孔２５に付勢されるドライバ２６と、内筒２１の通孔２７においてバネ２４及びドライバ２６によって鍵孔２５に付勢されるロックピン２８を有している。鍵をシリンダコア２０の鍵孔２５に挿入すると、鍵の外面に形成された凹部の深さによってドライバ２６とロックピン２８の当接部分の位置が適宜調節され、全てのドライバ２６とロックピン２８の当接部分が内筒２１及び外筒２２の境界面と一致すると解錠がなされる。また、シリンダコア２０には、外側面に突出部２９が形成されている。
【００１９】
ハウジング３０は、本実施形態において、シリンダコア２０を内部に収容すると共に、ドアへの取り付け部分３１を有する。シリンダ錠１００のドアへの取り付けは、例えば、図１に示す取り付け部分３１Ａ、３１Ｂに、ラッチや閂が突出している面からピンをシリンダ錠、錠前、及びドアに通して固定することによって行なわれる。また、ハウジング３０の内側面には、径方向外側に切り欠かれ、シリンダコア２０の突出部２９と係合するハウジング溝３２が設けられている。
【００２０】
化粧リング４０は、本実施形態において円錐台形状に形成され、ハウジング３０の外周面に配置される。図１における化粧リング４０とハウジング３０との軸方向の間隙には玄関扉の戸板部分が配置される。化粧キャップ５０は外側面の任意の部分をハウジング３０にカシメることによって、ハウジング３０に固定される。化粧リング４０は化粧キャップ５０の一端部に配置されたバネ６０によって玄関扉の戸厚調整のために軸方向に付勢される。
【００２１】
バネ６０は、化粧リング４０と化粧キャップ５０の間に配置され、玄関扉の戸厚調整のために伸縮する。
【００２２】
図３はハウジング、シリンダ錠用部品、及びシリンダコアを組み付けた状態での３−３線に沿う断面図である。
【００２３】
シリンダ錠用部品１０は、本実施形態において、図２に示すように、中空の円筒形状に形成され、径方向の寸法がシリンダコア２０と締まり嵌めの関係になることによって、シリンダコア２０に取り付けられる。シリンダ錠用部品１０は、シリンダコア２０と同様に、ハウジング３０に軸方向に取り付けられる。
【００２４】
また、シリンダ錠用部品１０は径方向に積層可能である。そのため、外径の大きさによってシリンダコアの種類が複数存在する場合にも、シリンダ錠用部品をシリンダコアに積層することで種々の径のシリンダコアとすることができ、現存する部品種に幅広く適合させることができる。
【００２５】
また、シリンダ錠用部品１０の側面の一部には、軸方向に貫通して切り欠かれることによって形成されたシリンダコア係合溝１１が設けられている。シリンダコア係合溝１１の切り欠き幅ｗ１はシリンダコア２０の突出部２９の幅ｗ２と略同一となるように構成されている。これによってシリンダコア２０とシリンダ錠用部品１０との周方向の位置決めを行うことができる。
【００２６】
また、シリンダ錠用部品１０には切り欠き部１２が形成されている。本実施形態ではハウジング３０のハウジング溝３２がシリンダコア２０の突出部２９と係合しているが、ハウジング３０の内側面には突起が設けられて突出部２９と係合するものも存在する。そのため、シリンダ錠用部品１０に切り欠き部１２を設ければ、ハウジングから突起が形成されている場合にもシリンダコアをハウジングに取り付けることができる。このように切り欠き部１２を形成することで様々なハウジングにシリンダ錠用部品を用いてシリンダコアを取り付けることができる。
【００２７】
シリンダ錠用部品１０の形成材料は、特に限定されないが、例えば真鍮を挙げることができる。また、シリンダ錠用部品１０の表面処理についても特に限定されないが、ニッケルめっきを挙げることができる。また、シリンダ錠用部品の製造方法についても特に限定されないが、例えば平板のブランク材にシリンダコア係合溝１１や切り欠き部１２を形成するように打ち抜き、円筒形状に成形する方法がある。シリンダ錠用部品１０が平板の状態で表面に会社名や商品名を刻印やシール貼付すれば、部品の識別を容易にしたり、商品の広告宣伝機能を向上させたりすることができる。
【００２８】
シリンダ錠用部品１０を用いたシリンダ錠１００の組み付けは以下のように行う。まず、シリンダ錠用部品１０のシリンダ係合溝１１がシリンダコア２０の突出部２９と係合するようにシリンダ錠用部品１０をシリンダコア２０に挿入して取り付ける。その後にシリンダコア２０とシリンダ錠用部品１０が組みつけられた状態で突出部２９をハウジング３０のハウジング溝３２と係合するように挿入して取り付ける。
【００２９】
シリンダコア２０の突出部２９はハウジング３０のハウジング溝３２と係合することによって取り付け構造が成立する。そのため、径方向に数ｍｍ程度の大きさの間隙が形成されたのでは突出部２９とハウジング溝３２との係合が成立せずシリンダコア２０が空転してしまい、シリンダコア２０をハウジング３０に取り付けることができない。
【００３０】
このような場合でもシリンダ錠用部品１０をシリンダコア２０とハウジング３０との間隙部分に取り付けることによって、シリンダコア２０をハウジング３０に取り付け、シリンダコア２０の交換作業を行うことができる。よって、鍵の修理業者はシリンダ錠用部品１０を在庫しておけば、径の大きさによって種類が異なるシリンダコアを多数在庫していなくても、シリンダコアを交換したいという顧客からの依頼に対応することができる。
【００３１】
以上説明したように、本実施形態に係るシリンダ錠用部品１０は、シリンダコア２０とハウジング３０の径の大きさが異なった場合にシリンダコア２０とハウジング３０の間隙部分に取り付けられるように構成している。そのため、鍵の修理業者が顧客の所望するメーカーのシリンダコアを有していれば、径の大きさによって種類が異なっても交換作業を行うことができ、顧客からの依頼に幅広く対応することができる。
【００３２】
シリンダ錠用部品１０は、径方向に積層させることができるため、シリンダ錠用部品一枚だけではシリンダコア２０とハウジング３０との間隙を埋められない場合にも対応でき、現存する部品種へ幅広く適合させることができる。
【００３３】
シリンダ錠用部品は軸方向に取り付けられるよう構成している。そのため、例えばシリンダコアよりもハウジングの軸方向の長さが極端に長いような場合でもシリンダ錠用部品１０を先にハウジング３０に取り付ければ、回転方向の位置決めガイドとしてハウジング溝３２に突出部２９を容易に係合させることができ、シリンダコア２０をハウジング３０に容易に挿入することができる。
【００３４】
シリンダ錠用部品１０は締まり嵌めによって組みつけられるように構成している。そのため、シリンダ錠用部品を半円状に２つに分割したような場合と比較して、作業者はシリンダ錠用部品１０が組み合わせられた状態を手によって保持しながらハウジング３０に取り付ける必要がなく、交換作業を容易かつ迅速に行うことができる。
【００３５】
シリンダ錠用部品１０は、外側面に会社名や商品名等を表示するように構成したため、商品としての識別性や宣伝広告機能を向上させることができる。
【００３６】
本発明は上述した実施形態のみに限定されず、特許請求の範囲の記載において種々の変更が可能である。
【００３７】
シリンダ錠用部品１０はシリンダコア２０の略全周を覆うように形成される実施形態について説明したが、これに限定されない。シリンダコア係合溝１１や切り欠き部１２を設けず、シリンダコア２０との嵌め合いのみを考慮すれば、シリンダ錠用部品１０の円周は１８０度以上であればよい。
【００３８】
図４は上記実施形態の変形例に係るシリンダ錠用部品及びシリンダコアを組み付ける際を示す分解斜視図、図５はシリンダ錠用部品及びシリンダコアを組み付けた際を示す斜視図である。
【００３９】
シリンダコア２０には突出部２９が設けられ、シリンダ錠用部品１０にはシリンダコア係合溝１１が設けられて、突出部２９がハウジング溝３２と係合する実施形態について説明したがこれに限定されない。シリンダ錠用部品１０Ａにはピン１１Ａ、１１Ｂを付属させる。そして、シリンダ錠用部品１０Ａの溝部１２Ａ、１２Ｂ及びシリンダコア２０Ａの溝部２９Ａ、２９Ｂにピン１１Ａ、１１Ｂを貫通して取り付けることによってハウジング溝３２に係合させるように構成してもよい。
【符号の説明】
【００４０】
１０、１０Ａ          シリンダ錠用部品、
１１                  シリンダコア係合溝、
１１Ａ、１１Ｂ        ピン、
１２                  切り欠き部、
１２Ａ、１２Ｂ        溝部、
１００                シリンダ錠、
２０、２０Ａ          シリンダコア（施解錠部品）、
２１                  内筒、
２２                  外筒、
２３                  通孔、
２４                  バネ（弾性部材）、
２５                  鍵孔、
２６                  ドライバ（外筒鍵孔挿入部品）、
２７                  通孔、
２８                  ロックピン（内筒鍵孔挿入部品）、
２９                  突出部、
２９Ａ、２９Ｂ        溝部、
３０                  ハウジング（収容部品）、
３１、３１Ａ、３１Ｂ  取り付け部分、
３２                  ハウジング溝、
４０                  化粧リング、
５０                  化粧キャップ、
６０                  バネ（弾性部材）、
ｗ１                  シリンダ係合溝の切り欠き幅、
ｗ２                  突出部の幅。
【図１】
0006029831.tif 000002
【図２】
0006029831.tif 000003
【図３】
0006029831.tif 000004
【図４】
0006029831.tif 000005
【図５】
0006029831.tif 000006